(57)【要約】【課題】軸筒内に備えた筆記体固定用受具のパイプ状の挿着部に、着脱自在にボールペンレフィルまたはシャープペンシルユニットを挿着してなる繰出式筆記具において、１つの筆記体固定用受具にボールペンレフィルまたはシャープペンシルユニットのどちらも挿着できるようにする。【解決手段】シャープペンシルユニット４を、チャック機構部２７とボールペンレフィル３のインキタンク２６の軸径と略同等の軸径の芯タンク２８とで構成し、全長をボールペンレフィル３の全長と略同等に形成する。筆記体固定用受具１９に、軸心方向の途中にボールペンレフィルまたはシャープペンシルユニットの後端が当接する当接部２２を有したパイプ状の挿着部２４を設ける。シャープペンシルユニット４を筆記体固定用受具１９に挿着した際に、当接部２２より後方の挿着部２４の部分に、芯タンク２８の後端から突出した鉛芯２９の後端部が位置するようにする。【選択図】図４
2012126006.tif 000002
【特許請求の範囲】
【請求項１】
軸筒内に備えた筆記体固定用受具のパイプ状の挿着部に、ボールペンレフィルまたはシャープペンシルユニットを挿着し、筆記体固定用受具を軸筒内に配した繰出機構により前後動することによりボールペンレフィルまたはシャープペンシルユニットを前後動し、ボールペンレフィルまたはシャープペンシルユニットの筆記先端部を軸筒の先端開口部より出没させる繰出式筆記具において、前記シャープペンシルユニットを、チャック機構部とボールペンレフィルのインキタンクの軸径と略同等の軸径の芯タンク部とで構成し、シャープペンシルユニットの全長をボールペンレフィルの全長と略同等に形成し、前記筆記体固定用受具のパイプ状の挿着部に、ボールペンレフィルまたはシャープペンシルユニットの後端部を圧入嵌合状態で挿着可能とし、軸心方向の途中にボールペンレフィルまたはシャープペンシルユニットの後端が当接する当接部を設け、シャープペンシルユニットを挿着した際に、当接部より後方の挿着部の部分にシャープペンシルユニットに収容した芯タンクの後端から突出した鉛芯の後端部が位置するように挿着部を設けてなる繰出式筆記具。
【発明の詳細な説明】
【技術分野】
【０００１】
本発明は、軸筒内にボールペンレフィルおよび／またはシャープペンシルユニットの筆記体を収容し、回転式、ノック式やスライド式の繰出機構により軸筒内に収容した前記筆記体の筆記先端部を軸筒の先端開口部より出没する繰出式筆記具に関する。
【背景技術】
【０００２】
従来、繰出式筆記具として、例えば図１に示すように、前軸２ａと後軸２ｂとで構成した軸筒２内に、少なくとも周方向にボールペンレフィル３またはシャープペンシルユニット４を収容する複数の筆記体収容溝６を有した摺動ケース７と、回転操作体である後軸２ｂを回転することで摺動ケース７の外周面上を回転可能な回転カム筒９を配し、摺動ケース７の筆記体収容溝６に、後端部にカム係止突起２０を有した本体部２１の前方に、図５に示すようなパイプ状の挿着部２４を連接した筆記体固定用受具１９をコイルばね１８を介して後方（図１において右側方向）に付勢して筆記体収容溝６内を前後動可能に収容し、図５の（ａ）に示すようなボールペンレフィル用の筆記体固定用受具５１の挿着部５２に図６の（ａ）に示すボールペンレフィル５３を、また、図５の（ｂ）に示すようなシャープペンシルユニット用の筆記体固定用受具６１の挿着部６２に図６の（ｂ）に示すシャープペンシルにおけるチャック機構部分６３からなるシャープペンシルユニット６４を、各々着脱自在に圧入嵌合により挿着し（図７を参照）、筆記体固定用受具５１、６１に設けた筆記体収容溝６から外方へ突出したカム係止突起５４、６５を回転カム筒９の傾斜面（図示せず）を有したカム面８に当接し、後軸２ｂを前軸２ａに対して回転して回転カム筒９を摺動ケース７に対して回転することにより、カム係止突起５４、６５がカム面に沿って移動することで筆記体固定用受具５１、６１およびボールペンレフィル５３とシャープペンシルユニット６４が前後動し、各々の筆記先端部５５、６６を軸筒２（口金部５）の先端開口部３１より出没してなる回転繰出式の複合筆記具は、知られている。
【０００３】
シャープペンシルユニット用の筆記体固定用受具６１は、図５の（ｂ）に示すように、挿着部６２を芯タンクとしての機能をもたせているために、挿着部６２の長さはボールペンレフィル用の筆記体固定用受具５１の挿着部５２の長さより長くしてあり、また、挿着部６２の軸径はボールペンレフィル用の筆記体固定用受具５１の挿着部５２の軸径より細くしてある。図７に示すように、シャープペンシルユニット用の筆記体固定用受具６１にシャープペンシルユニット６４を挿着した時の全長は、ボールペンレフィル用の筆記体固定用受具５１にボールペンレフィル５３を挿着した時の全長は同等としてある。なお、ボールペンレフィル用の筆記体固定用受具５１の挿着部５２には、ボールペンレフィル５３を圧入嵌合状態で挿着できるように、内方に突出した突出部５６を設けてある。
【０００４】
したがって、ボールペンレフィル用の筆記体固定用受具５１の挿着部５２にシャープペンシルユニット６４、シャープペンシルユニット用の筆記体固定用受具６１にボールペンレフィル５３を挿着することはできない。
【０００５】
ところで、１つの筆記体固定用受具で２種類のレフィルを挿着できるように、前端面に開口して内面にリブを突設した第１のレフィル嵌着孔の奥に当該第１のレフィル嵌着孔よりも内径が小さくて同様に内面にリブを突設した第２のレフィル嵌着孔を連通状態に設けた構造の筆記体固定用受具について、実公平４−３２３０９号公報に開示されている。
【０００６】
前記技術は、１つの筆記体固定用受具に外径の異なる２種類のレフィルを選択的に挿着できるというもので、言い換えれば、軸径が異なる２種類のボールペンレフィルを挿着可能としたもので、シャープペンシルユニットまたはボールペンレフィルのどちらも圧入嵌合状態で挿着できるというものではない。
【０００７】
従来、例えば軸筒内に、赤色と黒色のボールペンレフィル２つとシャープペンシルユニット１つを収容した複合筆記具を、赤色、黒色と青色のボールペンレフィルを収容した複合筆記具としたり、あるいは赤色、黒色と青色のボールペンレフィルを収容した複合筆記具を、赤色と黒色のボールペンレフィル２つとシャープペンシルユニット１つを収容した複合筆記具としたり、軸筒内にボールペンレフィルを収容したボールペンをボールペンレフィルに換えてシャープペンシルユニットを収容してシャープペンシルとすることはできなかった。
【０００８】
また、１つの筆記体固定用受具の挿着部に、ボールペンレフィルまたはシャープペンシルユニットを挿着できるようにするには、前記挿着部に挿着するボールペンレフィルの部分の軸径とシャープペンシルユニットの部分の軸径を同径にすることが重要であるが、ボールペンレフィルの方の軸径を変更することは、数多く市場に提供され使用されている従来のボールペンレフィルと混合してしまい問題がある。そこで考えられるのが、シャープペンシルユニット用の筆記体固定用受具の挿着部の軸径をボールペンレフィル用の筆記体固定用受具の挿着部の軸径と同径とすることであるが、前記挿着部の軸径を太くすると、複合筆記具においては、筆記体の筆記先端部が軸筒の先端開口部より突出する際に各筆記体を軸径方向の中心部に位置させる必要があるが、筆記体の前後動の作動の妨げとなる問題がある。
【先行技術文献】
【特許文献】
【０００９】
【特許文献１】特許第３７７００４４号公報
【発明の開示】
【発明が解決しようとする課題】
【００１０】
本発明の目的は、軸筒内に備えた筆記体固定用受具のパイプ状の挿着部に、ボールペンレフィルまたはシャープペンシルユニットを着脱自在に挿着し、筆記体固定用受具を軸筒内に配した繰出機構により前後動することにより筆記体を前後動し、筆記体先端を軸筒の先端開口部より出没させる繰出式筆記具において、１つの筆記体固定用受具に従来のボールペンレフィルのみならずシャープペンシルユニットのどちらも挿着可能とし、自由に軸筒内にボールペンレフィルやシャープペンシルユニットを選択して収容できる繰出式筆記具を得ることにある。
【課題を解決するための手段】
【００１１】
本発明は、
「軸筒内に備えた筆記体固定用受具のパイプ状の挿着部に、ボールペンレフィルまたはシャープペンシルユニットを挿着し、筆記体固定用受具を軸筒内に配した繰出機構により前後動することによりボールペンレフィルまたはシャープペンシルユニットを前後動し、ボールペンレフィルまたはシャープペンシルユニットの筆記先端部を軸筒の先端開口部より出没させる繰出式筆記具において、前記シャープペンシルユニットを、チャック機構部とボールペンレフィルのインキタンクの軸径と略同等の軸径の芯タンク部とで構成し、シャープペンシルユニットの全長をボールペンレフィルの全長と略同等に形成し、前記筆記体固定用受具のパイプ状の挿着部に、ボールペンレフィルまたはシャープペンシルユニットの後端部を圧入嵌合状態で挿着可能とし、軸心方向の途中にボールペンレフィルまたはシャープペンシルユニットの後端が当接する当接部を設け、シャープペンシルユニットを挿着した際に、当接部より後方の挿着部の部分にシャープペンシルユニットに収容した芯タンクの後端から突出した鉛芯の後端部が位置するように挿着部を設けてなる繰出式筆記具。」
である。
【発明の効果】
【００１２】
本発明の繰出式筆記具は前記したような構造なので、１つの筆記体固定用受具にボールペンレフィルまたはシャープペンシルユニットを着脱自在に挿着できるので、軸筒内にボールペンレフィルやシャープペンシルユニットを自由に選択して収容できる。
【図面の簡単な説明】
【００１３】
【図１】本発明の繰出式筆記具の実施例を示し、回転繰出式の複合筆記具の要部を断面した縦断面図である。
【図２】図１における筆記体固定用受具の、要部を断面した拡大縦断面である。
【図３】図１における筆記体固定用受具に装着する筆記体を示し、（ａ）は、ボールペンレフィルの拡大側面図で、（ｂ）は、シャープペンシルユニットの拡大側面図である。
【図４】図２に示す筆記体固定用受具に図３に示す筆記体を挿着した状態を示した図で、（ａ）は、ボールペンレフィルを挿着した状態を示した図で、（ｂ）は、シャープペンシルユニットを挿着した状態を示した図である。
【図５】従来の回転繰出式の複合筆記具における筆記体固定用受具を示し、（ａ）は、ボールペンレフィル用の筆記体固定用受具の要部を断面した拡大縦断面であり、（ｂ）は、シャープペンシルユニット用の筆記体固定用受具の要部を断面した拡大縦断面である。
【図６】図５に示す筆記体固定用受具に装着する筆記体を示し、（ａ）は、ボールペンレフィルの拡大側面図で、（ｂ）は、シャープペンシルユニットの拡大側面図である。
【図７】図５に示す筆記体固定用受具に筆記体を挿着した状態を示した図で、（ａ）は、ボールペンレフィルを挿着した状態を示した図で、（ｂ）は、シャープペンシルユニットを挿着した状態を示した図である。
【発明を実施するための形態】
【００１４】
本発明は、従来、軸筒内に収容するボールペンレフィルとシャープペンシルユニットを着脱自在に挿着する筆記体固定用受具を、ボールペンレフィル用とシャープペンシルユニット用とで形状を異にしていたものを、１つの形状の筆記体固定用受具とし、従来のボールペンレフィルが着脱自在に挿着できるとともに、シャープペンシルユニットも着脱自在に挿着できるように、ボールペンレフィルおよびシャープペンシルユニットの軸径と全長を同じに形成するものである。
【実施例】
【００１５】
本発明の繰出式筆記具の実施例を図面を用いて説明する。本実施においては、便宜上、軸筒を前軸と後軸とで構成し、軸筒内に収容したボールペンレフィルとシャープペンシルユニットの筆記先端を、前軸に対して後軸を回転することにより軸筒の先端開口部より繰出す回転繰出式の複合筆記具として説明するが、これに限定されるものではない。
【００１６】
図１〜図４に示す、本発明の実施例の回転繰出式の複合筆記具１の構造は、従来の回転繰出式の複合筆記具の構造と同じであり、簡単に説明すると、図１においては、軸筒２内には、ボールペンレフィル３とシャープペンシルユニット４の各１本のずつしか描いていないが、ボールペンレフィル３が２本とシャープペンシルユニット４が１本を収納した構造のものである。本実施例の複合筆記具１は、軸筒２は前軸２ａと回転操作体としての後軸２ｂと、前軸２ａの前端（図１において左側）に螺着しかつ接着して設けた先窄み状の口金部５とで構成されている。
【００１７】
後軸２ｂの内部には、従来の回転繰出式の複合筆記具における回転繰出機構と同様に、後軸２ｂの内部に装着した、周方向において３つの筆記体収容溝６を有した摺動ケース７の外周面上に、図示していないが軸心方向に延びた傾斜面と平坦面とで構成されたカム面８を有した回転カム筒９を回転可能にして配設してある。
【００１８】
従来の回転繰出式の複合筆記具の構造に見られるように、摺動ケース７の先端筒部７ａには、前軸２ａの後端部２ａｂ内に圧入可能に形成した先端部１０ａを有した連結管１０を固着して、図示してないが、先端部１０ａの対向する外側面に軸心方向に延びた突部を設けて、前軸の後端部２ａｂ内に圧入状態で嵌着可能とし、前軸２ａと後軸２ｂとが連結管１０を介して着脱自在に連接してある。
【００１９】
後軸２ｂの後端には、クリップ１１と金輪１２を介在して消しゴム受け台１３が回転カム筒９に螺着しかつ接着して配してあり、後軸２ｂに設けた内方に突出した係止凸部１４を回転カム筒９に形成した軸心方向に延びた係止溝１５に係止して、回転カム筒９が後軸２ｂとともに連動して回転可能に設けてある。回転カム筒９の後端は後軸２ｂの後端部に当接しており、後軸２ｂの後端部から抜け出さないようにしてある。消しゴム受け台１３には消しゴム１６が挿着してあり、後軸２ｂの後端には頭冠１７を消しゴム受け台１３に着脱自在に螺着して配してある。
【００２０】
従来の回転繰出式の複合筆記具における回転繰出機構と同様に、前記摺動ケース７の各筆記体収容溝６には、コイルスばね１８により後方（図１において右側方向）に付勢された筆記体固定用受具１９が前後動可能に装着してある。
【００２１】
前記筆記体固定用受具１９は、図２に示すように、回転カム筒９のカム面８に後方への押圧状態で当接するカム係止突起２０を有した本体部２１と、該本体部２１の前方（図２において左側方向）に固着した、後方部分を小径にすることで形成した縮径部をボールペンレフィル３またはシャープペンシルユニット４の後端が当接する当接部２２と、ボールペンレフィル３またはシャープペンシルユニット４を圧入嵌合するための内方に突出した突出部２３を有したパイプ状の挿着部２４とで構成してある。
【００２２】
前記筆記体固定用受具１９の挿着部２４に挿着するのボールペンレフィル３は、図３の（ａ）に示すように、従来の回転繰出式の複合筆記具におけるボールペンレフィルと同様に、ボールペンチップ２５と筆記用インキを収容したインキタンク２６とで構成し、該インキタンク２６の軸径を従来の回転繰出式の複合筆記具におけるボールペンレフィルと略同径に形成してある。
【００２３】
シャープペンシルユニット４は、図３の（ｂ）に示すように、従来の回転繰出式の複合筆記具におけるチャック機構部２７と、前記ボールペンレフィル３のインキタンク２６と同径の軸径を有した芯タンク２８とで構成し、全長を前記ボールペンレフィル３の全長と同等にとなるように芯タンク２８をチャック機構部２７に固着して形成してある。
【００２４】
前記ボールペンレフィル３とシャープペンシルユニット４を、各々のインキタンク２６と芯タンク２８の部分を前記筆記体固定用受具１９の挿着部２４に挿入し、各々の後端が挿着部２４の当接部２２に当接するまで挿入する。ボールペンレフィル３とシャープペンシルユニット４は、インキタンク２６と芯タンク２８が突出部２３に当接することで圧入嵌合状態で挿着される。図４に示すように、筆記体固定用受具１９に装着したボールペンレフィル３とシャープペンシルユニット４の全長は、同じになるようにしてある。シャープペンシルユニット４を、芯タンク２８の後端を当接部に当接して挿着した際には、シャープペンシルユニット４に収容した芯タンク２８の後端から突出した鉛芯２９の後端部が、当接部２２より後方の挿着部内２４ａに位置するように設けてある。
【００２５】
軸筒２内に収容した、ボールペンレフィル３の筆記先端部３０またはシャープペンシルユニット４の筆記先端部３１を軸筒２（口金部５）の先端開口部３２より突出させるには、従来の回転繰出式の複合筆記具と同様に、後軸２ｂを前軸２ａに対して回転すると、後軸２ｂに連動して回転カム筒９も回転し、回転カム筒９のカム面８に当接した各々の筆記体固定用受具１９のカム係止突起２０がカム面８に沿って移動し、各々の筆記体固定用受具１９が前後動し、順次ボールペンレフィル３の筆記先端部３０やシャープペンシルユニット４の筆記先端部３１が先端開口部３２より突出する。
【産業上の利用可能性】
【００２６】
軸筒内に、ボールペンレフィルおよびシャープペンシルユニットを収容した複合筆記具において、好みに応じて例えば、ボールペンレフィルのみまたはシャープペンシルユニットのみを収容できるように、またボールペンレフィルを収容した箇所にシャープペンシルユニットが、シャープペンシルユニットを収容した箇所にボールペンレフィルが収容できるようにしたい場合に、またはボールペンをシャープペンシルとして、シャープペンシルをボールペンとして使用できるようにしたい場合に、適用することができる。
【符号の説明】
【００２７】
１  複合筆記具
２  軸筒
２ａ  前軸
２ｂ  後軸
３  ボールペンレフィル
４  シャープペンシルユニット
１９  筆記体用固定受具
２１  本体部
２２  当接部
２４  挿着部
２６  インキタンク
２８  芯タンク
２９  鉛芯
３０、３１  筆記先端部
３２  先端開口部
【図１】
2012126006.tif 000003
【図２】
2012126006.tif 000004
【図３】
2012126006.tif 000005
【図４】
2012126006.tif 000006
【図５】
2012126006.tif 000007
【図６】
2012126006.tif 000008
【図７】
2012126006.tif 000009